(57)【要約】【課題】 アンテナから高周波信号が入力されて、同調を行うアンテナ同調回路と、前記アンテナ同調回路の出力の利得を利得制御信号に応じて制御する利得制御回路とを有する選局装置に関し、信号に歪みを発生させることなく、ＡＧＣのダイナミックレンジを大きく取れる選局装置を提供することを目的とする。【解決手段】   本発明は、アンテナ（２）から高周波信号が入力されて、同調を行うアンテナ同調回路（２１、４１）と、アンテナ同調回路（２１、４１）の出力の利得を利得制御信号に応じて制御する第１の利得制御回路（２２、４２）とを有する選局装置（１）において、アンテナ（２）とアンテナ同調回路（２１、４１）との間に設けられ、アンテナ（２）からの高周波信号の利得を利得制御信号に応じて制御する第２の利得制御回路（１０１）を有することを特徴とする。【選択図】図１
2005079697.tif 000002
【特許請求の範囲】
【請求項１】
アンテナから高周波信号が入力されて、同調を行うアンテナ同調回路と、前記アンテナ同調回路の出力の利得を利得制御信号に応じて制御する第１の利得制御回路とを有する選局装置において、
前記アンテナと前記アンテナ同調回路との間に設けられ、前記アンテナからの高周波信号の利得を前記利得制御信号に応じて制御する第２の利得制御回路を有することを特徴とする選局装置。
【請求項２】
前記第２の利得制御回路は、前記アンテナと前記アンテナ同調回路との間に直列に接続されたＰＩＮダイオードを含むことを特徴とする請求項１記載の選局装置。
【請求項３】
前記第２の利得制御回路を構成するＰＩＮダイオードは、前記アンテナ側にカソードが接続され、前記アンテナ同期回路側にアノードが接続され、
前記アノードに前記利得制御信号が供給されたことを特徴とする請求項２記載の選局装置。
【請求項４】
前記第１の利得制御回路は、前記第２の利得制御回路に比べて利得制御信号に応じた利得制御量が大きいことを特徴とする請求項１乃至３のいずれか一項記載の選局装置。
【発明の詳細な説明】
【技術分野】
【０００１】
本発明は選局装置に係り、特に、アンテナから高周波信号が入力されて、同調を行うアンテナ同調回路と、前記アンテナ同調回路の出力の利得を利得制御信号に応じて制御する利得制御回路とを有する選局装置に関する。
【背景技術】
【０００２】
図３は従来の選局装置の一例のブロック構成図を示す。
【０００３】
選局装置１は、ＵＨＦ（極超短波）帯選局回路１１、ＶＨＦ（超短波）帯選局回路１２、ＩＦ（中間周波数）アンプ１３、復調器１４、ＰＬＬ回路１５から構成されている。
【０００４】
ＵＨＦ帯選局回路１１は、アンテナ同調回路２１、自動利得制御（ＡＧＣ；automatic
gain control）回路２２、高調波同調回路２３、周波数変換器２４から構成されている。
【０００５】
アンテナ同調回路２１には、アンテナ２からアンテナ端子Ｔinを介して高周波信号が供給される。アンテナ同調回路２１は、ＵＨＦ帯に同調して、ＵＨＦ帯の高周波信号を抽出する。アンテナ同調回路２１の出力高周波信号は、自動利得制御回路２２に供給される。
【０００６】
自動利得制御回路４２は、トランジスタＱ12、抵抗Ｒ12から構成される。トランジスタＱ12は、デュアルゲートＮチャネルＭＯＳ電界効果トランジスタから構成されており、一方のゲートにはアンテナ同調回路４１が供給され、他方のゲートには復調器１４から利得制御信号が供給される。トランジスタＱ12のソースは抵抗Ｒ12を介して接地され、ドレインは高周波同調回路２３に接続される。自動利得制御回路４２は、復調器１４からの自動利得制御信号に基づいてアンテナ同調回路４１からの高周波信号の利得を制御する。自動利得制御回路２２は、復調器１４からの自動利得制御信号に基づいて利得を制御する。
【０００７】
自動利得制御回路２２の出力信号は、高調波同調回路２３に供給される。高調波同調回路２３は、自動利得制御回路２２からの信号のうち選択されたチャンネルに同調して、選択されたチャンネルの信号を抽出する。高調波同調回路２３の出力は、周波数変換器２４に供給される。
【０００８】
周波数変換器２４は、電圧制御発振器３１、ミキサ３２から構成される。電圧制御発振器３１には、ＰＬＬ回路１５から制御電圧が供給されている。電圧制御発振器３１は、ＰＬＬ回路１５からの制御電圧に応じて発振周波数を変化させる。
【０００９】
ＰＬＬ回路１５には、外部から制御端子Ｔcからチャンネル選択信号が供給されており、選択されたチャンネルに応じた制御電圧を生成し、電圧制御発振器３１に供給する。電圧制御発振器３１は、ＰＬＬ回路１５からの制御電圧に応じた周波数の発振信号を出力する。電圧制御発振器３１の発振出力は、ミキサ３２に供給される。ミキサ３２は、高周波同調回路２３の出力信号と電圧制御発振器３１の発振出力とをミキシングする。これによって、高周波同調回路２３の出力信号のうち、選択されたチャンネルの信号が中間周波数帯ＩＦに周波数変換される。周波数変換器２４の出力は、ＵＨＦ帯選局回路１１の出力としてＩＦアンプ１３に供給される。
【００１０】
ＶＨＦ帯選局回路１２は、アンテナ同調回路４１、自動利得制御回路４２、高調波同調回路４３、周波数変換器４４から構成されている。
【００１１】
アンテナ同調回路４１には、アンテナ２からアンテナ端子Ｔinを介して高周波信号が供給される。アンテナ同調回路４１は、ＵＨＦ帯に同調して、ＵＨＦ帯の高周波信号を抽出する。アンテナ同調回路４１の出力高周波信号は、自動利得制御回路４２に供給される。自動利得制御回路４２は、トランジスタＱ12、抵抗Ｒ12から構成される。
【００１２】
トランジスタＱ12は、デュアルゲートＮチャネルＭＯＳ電界効果トランジスタから構成されており、一方のゲートにはアンテナ同調回路４１が供給され、他方のゲートには復調器１４から利得制御信号が供給される。トランジスタＱ12のソースは抵抗Ｒ12を介して接地され、ドレインは高周波同調回路２３に接続される。自動利得制御回路４２は、復調器１４からの自動利得制御信号に基づいてアンテナ同調回路４１からの高周波信号の利得を制御する。
【００１３】
自動利得制御回路４２の出力信号は、高調波同調回路４３に供給される。高調波同調回路４３は、自動利得制御回路４２からの信号のうち選択されたチャンネルに同調して、選択されたチャンネルの信号を抽出する。高調波同調回路４３の出力は、周波数変換器４４に供給される。
【００１４】
周波数変換器４４は、電圧制御発振器５１、ミキサ５２から構成される。電圧制御発振器５１には、ＰＬＬ回路１５から制御電圧が供給されている。電圧制御発振器５１は、ＰＬＬ回路１５からの制御電圧に応じて発振周波数を変化させる。
【００１５】
ＰＬＬ回路１５には、外部から制御端子Ｔcからチャンネル選択信号が供給されており、選択されたチャンネルに応じた制御電圧を生成し、電圧制御発振器５１に供給する。電圧制御発振器５１は、ＰＬＬ回路１５からの制御電圧に応じた周波数の発振信号を出力する。電圧制御発振器５１の発振出力は、ミキサ５２に供給される。ミキサ５２は、高周波同調回路４３の出力信号と電圧制御発振器５１の発振出力とをミキシングする。これによって、高周波同調回路４３の出力信号のうち、選択されたチャンネルの信号が中間周波数帯ＩＦに周波数変換される。周波数変換器４４の出力は、ＶＨＦ帯選局回路１２の出力としてＩＦアンプ１３に供給される。
【００１６】
ＩＦアンプ１３は、ＵＨＦ帯選局回路１１の出力中間周波数帯信号、あるいは、ＶＨＦ帯選局回路１２の出力中間周波数帯信号を増幅する。ＩＦアンプ１３で増幅された中間周波数帯信号は、復調器１４に供給される。復調器１４は、ＩＦアンプ１３からの中間周波数帯信号から元の映像信号及び音声信号を復調する。復調器１４で復調された映像信号及び音声信号は、出力端子Ｔoutから出力される。また、復調器１４は、ＩＦアンプ１３からの入力信号レベルが所定のレベルとなるように自動利得制御信号を自動利得制御回路２２、４２に供給する（特許文献１参照）。
【００１７】
図４は従来の選局装置のＡＧＣ電圧に対する応答を示す図である。
【００１８】
図４に示すように自動利得制御信号、すなわち、ＡＧＣ電圧が０〜４〔Ｖ〕に対して５０から６０〔ｄＢ〕の幅で利得を制御できる。
【特許文献１】特開２０００−５９７０７号公報
【発明の開示】
【発明が解決しようとする課題】
【００１９】
しかるに、従来の選局装置では、ＡＧＣのダイナミックレンジを大きく取るために利得制御回路２２、４２の利得を大きく取ると、信号に歪みが生じるため、ダイナミックレンジを十分に大きくすることができなかった。
【００２０】
本発明は上記の点に鑑みてなされたもので、信号に歪みを発生させることなく、ＡＧＣのダイナミックレンジを大きく取れる選局装置を提供することを目的とする。
【課題を解決するための手段】
【００２１】
本発明は、アンテナ（２）から高周波信号が入力されて、同調を行うアンテナ同調回路（２１、４１）と、アンテナ同調回路（２１、４１）の出力の利得を利得制御信号に応じて制御する第１の利得制御回路（２２、４２）とを有する選局装置（１）において、アンテナ（２）とアンテナ同調回路（２１、４１）との間に設けられ、アンテナ（２）からの高周波信号の利得を利得制御信号に応じて制御する第２の利得制御回路（１０１）を有することを特徴とする。
【００２２】
また、本発明は、第２の利得制御回路（１０１）を、アンテナ（２）とアンテナ同調回路（２１、４１）との間に直列に接続されたＰＩＮダイオード（Ｄ）から構成し、アンテナ（２）側にカソードを接続し、アンテナ同期回路（２１、４１）側にアノードを接続し、アノードに利得制御信号を供給する構成としたことを特徴とする。
【発明の効果】
【００２３】
本発明によれば、アンテナ（２）とアンテナ同調回路（２１、４１）との間に、アンテナ（２）からの高周波信号の利得を利得制御信号に応じて制御する第２の利得制御回路（１０１）を設けることにより、第１の利得制御回路（２２、４２）と第２の利得制御回路（１０１）とで重畳して利得が制御されるため、利得の制御範囲を拡大できる。このとき、第１の利得制御回路及び第２の利得制御回路の利得を大きくすることなく、制御範囲を拡大することができるため、信号の歪みを増大させることなく、利得の制御範囲を拡大できる。
【００２４】
また、このとき、第２の利得制御回路（１０１）を信号歪みの小さいＰＩＮダイオードで構成することにより、信号の歪みを極力制限できる。
【発明を実施するための最良の形態】
【００２５】
図１は本発明の一実施例のブロック構成図を示す。同図中、図３と同一構成部分には同一符号を付し、その説明は省略する。
【００２６】
本実施例の選局装置１００は、アンテナ接続端子Ｔinとアンテナ同調回路２１、４１との間に利得制御回路１０１を設けた構成とされている。
【００２７】
第２の利得制御回路である利得制御回路１０１は、ＰＩＮダイオードＤから構成されている。ＰＩＮダイオードＤは、Ｐ型半導体とＮ型半導体とで真性（Ｉ型）半導体を挟んだ構成とされており、高周波特性に優れるという特徴を有する。
【００２８】
利得制御回路１０１を構成するＰＩＮダイオードＤは、アノードがアンテナ同調回路２１、４１に接続され、カソードがアンテナ端子Ｔinに接続されている。また、ＰＩＮダイオードＤのアノードとアンテナ同調回路２１、４１との接続点に、復調器１４から利得制御信号であるＡＧＣ電圧が供給されている。
【００２９】
ＡＧＣ電圧は、ＰＩＮダイオードＤに順方向バイアス電圧として印加されている。ＰＩＮダイオードＤは、ＡＧＣ電圧が大きいときには、インピーダンスが小さくなるので、カソードからアノードに供給される入力信号の減衰が小さくなる。よって、カソードからアノードに供給される入力信号の利得を大きくできる。
【００３０】
また、ＰＩＮダイオードＤは、ＡＧＣ電圧が小さいときには、インピーダンスが大きくなるので、カソードからアノードに供給される入力信号の減衰が大きくなる。よって、カソードからアノードに供給される入力信号の利得を小さくできる。
【００３１】
以上により、復調器１４からの利得制御信号によって利得制御回路１０１で利得制御を行うことが可能となる。
【００３２】
なお、ＰＩＮダイオードＤは、高周波特性に優れており、高周波信号に歪みを発生させることなく、信号を減衰させることができる。よって、テレビなど高周波信号の減衰に好適である。一方、ＰＩＮダイオードＤは、利得を大きくできないので、利得制御回路１０１単独では、十分な利得制御を行えないが、本実施例のようにデュアルゲートＮチャネルＭＯＳ電界効果トランジスタＱ11、Ｑ12及び抵抗Ｒ11、Ｒ12により構成される利得制御回路２２、４２と協働で利得制御を行うことにより十分な利得制御が可能となる。
【００３３】
図２は、本発明の一実施例のＡＧＣ電圧に対する応答を示す図である。
【００３４】
本実施例の選局回路１００によれば、図２に示すように利得制御信号、すなわち、ＡＧＣ電圧が０〜４〔Ｖ〕に対して７５〜８０ｄＢの範囲で利得を制御させることが可能となる。図４に示す従来の選局回路１に比べてダイナミックレンジを２５〜３０ｄＢ程度拡大させることができる。
【００３５】
このように本実施例によれば、アンテナ端子Ｔinとアンテナ同調回路２１、４１との間にＰＩＮダイオードＤから構成される利得制御回路１０１を挿入することにより、アンテナ端子Ｔinに供給される信号の歪みを押えつつ、利得制御範囲を拡大することができる。
【００３６】
これにより、入力信号レベルが大きいときでも、十分に利得制御が効き、所望の信号レベルを得ることができるため、入力信号の歪みを改善できる。
【００３７】
なお、本実施例では、利得制御回路１０１をＰＩＮダイオードＤにより構成したが、高周波特性に優れ、信号歪みの小さい素子であればこれに限定されるものではない。
【００３８】
また、本実施例では、ＵＨＦ帯選局回路１１とＶＨＦ帯選局回路１２とを別々に有する選局装置１００を例に説明を行ったが、これに限定されるものではなく、選局装置一般に適用できることは言うまでもない。
【図面の簡単な説明】
【００３９】
【図１】本発明の一実施例のブロック構成図である。
【図２】本発明の一実施例のＡＧＣ電圧に対する応答を示す図である。
【図３】従来の選局装置の一例のブロック構成図である。
【図４】従来の選局装置のＡＧＣ電圧に対する応答を示す図である。
【符号の説明】
【００４０】
１００  選局装置
２  アンテナ
１１  ＵＨＦ帯選局回路、１２  ＶＨＦ帯選局回路、１３  ＩＦアンプ
１４  復調器
２１、４１  アンテナ同調回路、２２、４２  利得制御回路
２３、４３  高調波同調回路、２４、４４  周波数変換器
３１、５１  電圧制御発振器、３２、５２  ミキサ
１０１  利得制御回路
Ｄ  ＰＩＮダイオード
Ｑ11、Ｑ12  トランジスタ、Ｒ11、Ｒ12  抵抗
【図１】
2005079697.tif 000003
【図２】
2005079697.tif 000004
【図３】
2005079697.tif 000005
【図４】
2005079697.tif 000006